(57)【特許請求の範囲】
【請求項１】
紙幣を一時集積する一時集積部と、上記一時集積部に集積された紙幣を受け取って収納する収納部と、をそれぞれ有する複数の入出金庫と、
損券を集積する損券集積部、新券を収納した新券収納部、および損券集積部と新券収納部とを区画した区画部材を有する損券庫と、
入金口を介して入金された紙幣および損券を上記一時集積部および損券集積部にそれぞれ搬送する入金搬送手段と、
出金する紙幣を指示する指示手段と、
上記指示手段により指示された紙幣を上記収納部あるいは上記損券庫の新券収納部から取り出して出金する出金搬送手段と、
を備えたことを特徴とする現金処理装置。
【請求項２】
紙幣を一時集積する一時集積部と、上記一時集積部に集積された紙幣を受け取って収納する収納部と、をそれぞれ有する複数の入出金庫と、
損券を集積する損券集積部、新券を収納した新券収納部、および損券集積部と新券収納部とを区画した区画部材を有する損券庫と、
新券を収納した新券庫と、
入金口を介して入金された紙幣の正損を判別する判別手段と、
判別された紙幣を金種毎に分けて上記一時集積部に搬送するとともに、判別された損券を上記損券庫の損券集積部に搬送する入金搬送手段と、
出金する紙幣を指示する指示手段と、
上記指示手段により指示された紙幣を上記収納部、上記新券庫、あるいは上記損券庫の新券収納部から取り出して出金する出金搬送手段と、
を備えたことを特徴とする現金処理装置。
【発明の詳細な説明】
【０００１】
【産業上の利用分野】
この発明は、金融機関等に設置され、入金出金等の取引きを自動的に行う現金処理装置に関する。
【０００２】
【従来の技術】
近年、銀行等の金融機関には、入金出金等の取引きを自動的に行う現金処理装置が設置されている。この現金処理装置としては、例えば、施封機を備えた入出金リサイクル機が知られている。入出金リサイクル機は、例えば、顧客に対して入出金等の取引を自動的に行う自動取引装置（ＡＴＭ）から回収した紙幣を受け入れて入金処理するとともに、入金された紙幣を出金紙幣の一部として利用して出金処理を行う。
【０００３】
通常、現金処理装置は複数の保管庫を備え、入金口から投入された紙幣は入金鑑査部により金種、正損、真偽等が鑑査された後、金種毎に所定の保管庫に収納される。また、出金取引時には、所定の保管庫から紙幣が取り出され、出金鑑査部で金種判別、計数が行なわれた後に出金口に排出される。出金取引時、重ね取り等により鑑査および計数が行なわれなかったリジェクト券は、出金口の近傍に設けられた出金リジェクト庫に収納される。
【０００４】
【発明が解決しようとする課題】
しかしながら、上記構成の現金処理装置においては、入金された紙幣を利用して出金処理を行なうため、新券を出金することができない。
【０００５】
そこで、この発明の目的は、簡単な構成により新券の出金が可能な現金処理装置を提供することにある。
【０００７】
【課題を解決するための手段】
上記課題を解決するため、この発明に係る現金処理装置は、紙幣を一時集積する一時集積部と、上記一時集積部に集積された紙幣を受け取って収納する収納部と、をそれぞれ有する複数の入出金庫と、損券を集積する損券集積部、新券を収納した新券収納部、および損券集積部と新券収納部とを区画した区画部材を有する損券庫と、入金口を介して入金された紙幣および損券を上記一時集積部および損券集積部にそれぞれ搬送する入金搬送手段と、出金する紙幣を指示する指示手段と、上記指示手段により指示された紙幣を上記収納部あるいは上記損券庫の新券収納部から取り出して出金する出金搬送手段と、を備えている。
【０００８】
また、この発明の他の態様に係る現金処理装置は、紙幣を一時集積する一時集積部と、上記一時集積部に集積された紙幣を受け取って収納する収納部と、をそれぞれ有する複数の入出金庫と、損券を集積する損券集積部、新券を収納した新券収納部、および損券集積部と新券収納部とを区画した区画部材を有する損券庫と、新券を収納した新券庫と、入金口を介して入金された紙幣の正損を判別する判別手段と、判別された紙幣を金種毎に分けて上記一時集積部に搬送するとともに、判別された損券を上記損券庫の損券集積部に搬送する入金搬送手段と、出金する紙幣を指示する指示手段と、上記指示手段により指示された紙幣を上記収納部、上記新券庫、あるいは上記損券庫の新券収納部から取り出して出金する出金搬送手段と、を備えている。
【０００９】
【作用】
上記構成の現金処理装置によれば、入金口を通して投入された紙幣は、入金搬送手段により、金種に応じて対応する入出金庫の一時集積部に送られ一時集積される。一時集積部に集積された紙幣は、所定枚数集積された時点で収納部へ移される。指示手段により所望金種の紙幣が指示されると、出金搬送手段により対応する紙幣を収納した入出金庫の収納部から紙幣が取り出され出金される。指示手段により新券が指示された場合、出金搬送手段により新券庫から新券が取り出され出金される。
【００１０】
また、この発明の現金処理装置によれば、入金された紙幣の内、損券は損券庫の損券収納部に送られて収納される。そして、指示手段により新券が指示された場合、出金搬送手段により損券庫の新券収納部あるいは新券庫から新券が取り出され出金される。
【００１１】
【実施例】
以下、図面を参照しながらこの発明の実施例について詳細に説明する。
図１は銀行営業店むけの現金管理システムを示している。この現金管理システムは、システム全体の操作およびデータ処理を行う２台のテラーズマシン１ａ、１ｂを備えている。また、現金管理システムは、紙幣の入出金を行う現金処理装置として機能する紙幣入出金機２、およびこの紙幣入出金機２の余剰現金を施封して機体内に保管し、小束での紙幣の払い出しを行う施封・小束支払機３を備えている。さらに、現金管理システムは、バラ硬貨入金を行う硬貨入金機４、バラ硬貨の出金を行う硬貨出金機５、５０枚毎に包装された硬貨（棒金）の出金を行う棒金支払機６およびテラーズマシン置き台７を備えている。
【００１２】
紙幣入出金機２は一括して紙幣を入金可能な入金口１１と、入金時のリジェクト紙幣を集積する入金リジェクトボックス１２と、を備えている。また、紙幣入出金機２は、出金時のリジェクト紙幣を集積する出金リジェクトボックス１３と、出金される紙幣が集積される出金口１４と、を備えている。入金口１１、入金リジェクトボックス１２、出金リジェクトボックス１３、および出金口１４は機体前面に縦一列の状態で配置されている。
【００１３】
紙幣入出金機２の上面部には各取引の内容を印字するジャーナルプリンター１５が配置されている。入金口１１、出金口１４、およびジャーナルプリンター１５の近傍には、それぞれ前述した２台のテラーズマシン１ａ，１ｂのうち、どちらのテラーズマシン１ａ，１ｂに占有されているかを示す占有ランプ１６、１７、１８が配設されている。また、紙幣入出金機２の前面には機体内部にある後述する紙幣収納庫の紙幣残量を表示する残量表示部１９が配設されているとともに、入金搬送路引出扉２１、入金時に紙幣返却を行う一時集積扉２２、および紙幣収納庫を引き出す収納庫扉２３が順に配設されている。
【００１４】
テラーズマシン１ａ、１ｂの各々は、所望の情報および現金管理システムの作動状態等を表示する表示部２０と、複数の入力キーを有し指定手段として機能する入力部２４と、を備えている。図２に示すように、入力部２４は、出金モードを設定する出金キー２５、確認キー２６、開始キー２７金額、枚数等を入力するためのテンキー２８、出金される紙幣の金種を指示する万円キー３０、千円キー３２、出金される紙幣として新券を指示する新券キー３３、その他、図示しない種々のキーが設けられている。
【００１５】
次に、紙幣入出金機２の内部構成について詳細に説明する。図３に示すように、紙幣入出金機２の機体内の下部には、４つの保管庫、つまり、損券庫４８ａ、新券庫４８ｂ、および入金された汚れ、破れ等のない正券を金種毎に収容する２つの入出金庫４８ｃ、４８ｄが並んで配設されている。損券庫４８ａは、後述するように汚れ、破れ等があり出金紙幣として使用不能な損券を収納する損券収納部４１ａと、損券収納部４１ａの下方に位置しているとともに新券、例えば、千円の新券が収納された新券収納部４１ｂと、を備えている。そして、損券収納部４１ａと新券収納部４１ｂとは区画部材としてのセパレータ４７によって分離されている。
【００１６】
新券庫４８ｂには、新券、例えば、万円の新券が収納されている。また、入出金庫４８ｃ、４８ｄは、入金された紙幣を一時的に収納する一時集積部４２ａ、４３ａと、一時集積部から紙幣を受け取って収納する収納部４２ｂ、４３ｂと、をそれぞれ備えている。入出金庫４８ｃは千円券を受け取り収納する千円庫として、また、入出金庫４８ｄは万円券を受け取り収納する万円庫として使用されている。一時集積部には約６００枚、収納部には約２千枚の紙幣を集積可能となっている。なお、損券庫４８ａ、新券庫４８ｂ、入出金庫４８ｃ、４８ｄの上端部には、入金された紙幣を取り込む取り込み機構４６ａないし４６ｄがそれぞれ設けられている。
【００１７】
これらの損券庫４８ａ、新券庫４８ｂ、入出金庫４８ｃ、４８ｄは、振り分け搬送路４０、反転路４４、鑑査前搬送路４６を介して入金口１１に接続されている。入金口１１の近傍には取り込みローラ２９が配設されているとともに、査定前搬送路４６と反転路４４との間には、判別手段としての入金鑑査部３４が設けられている。そして、入金口１１に積層された紙幣は、取り込みロ−ラ２９により１枚づつ内部に取り込まれる。取り込まれた紙幣は、鑑査前搬送路４６を通って鑑査部３４に導かれ、この鑑査部３４内で金種、形状、表裏、真偽、正損等が鑑別される。
【００１８】
鑑査前搬送路４６、反転路４４、振り分け搬送路４０には、種々の振り分けゲート３５ａないし３５ｈおよび多数の搬送ローラ、搬送ベルトが配設されている。そして、鑑査部３４から出た紙幣は、最初の振り分けゲート３５ａにより、判定不能券の場合には入金リジェクトボックス１２に振り分けられて集積される。判定不能券は再度、入金１１にセットし直して再取り込みするか、手入力で計数データに算入する。
【００１９】
続いて、紙幣は振り分けゲート３５ｂにより表券と裏券に振り分けられ、表向きのものは表搬送路に導かれ、裏向きのものは、反転路４４に導かれて、紙幣の表裏が取り揃えられる。
【００２０】
表裏が取り揃えられた紙幣は、振り分けゲート３５ｃ、３５ｄにより振分搬送路４０に送られる。そして、振分搬送路４０に入った紙幣の内、損券は振り分けゲート３５ｅにより損券庫４８ａへ振り分けられ、取り込み機構４６ａによって損券収納部４１ａに集積される。また、正券は、振り分けゲートゲート３５ｇ、３５ｈにより金種に応じて入出金庫４８ｃ、４８ｄへ振り分けられ、取り込み機構入４６ｃ、４６ｄにより一時集積部４２ａ、４３ａに集積される。入金処理時において、入金された紙幣は新券庫４８ｂには取り込まれない。
【００２１】
このように、鑑査前搬送路４６、反転路４４、振り分け搬送路４０、取り込みローラ２９、取り込み機構４６ａないし４６ｄによって、この発明における入金搬送手段が構成されている。
【００２２】
損券庫４８ａの損券収納部４１ａ内には、上側の一対のフラッパ４５ａと下側の一対のフラッパ４５ｂとが配設されている。そして、取り込まれた損券は、まずフラッパ４５ａ上に集積され、所定枚数集積された時点でフラッパ４５ａが開いてフラッパ４５ｂ上に移される。そして、更に損券が集積され所定枚数に達すると、フラッパ４５ｂが開放され、集積された損券はセパレータ４７上に移される。
【００２３】
また、入出金庫４８ｃ、４８ｄの一時集積部４２ａ、４３ａ内には、損券収納部４１ａと同様に、それぞれ下側のフラッパ４５ａおよび上側のフラッパ４５ｂが配設されている。そして、取り込まれた正券は、まずフラッパ４５ａ上に集積され、所定枚数集積された時点でフラッパ４５ａが開いてフラッパ４５ｂ上に移される。そして、更に正券が集積され所定枚数に達すると、フラッパ４５ｂが開放され、集積された正券はシャッタ５０上に移される。続いて、シャッタ５０が開放され、集積された紙幣は、一時集積部４２ａ、４３ａから収納部４２ｂ、４３ｂ内へ移されて収納される。
【００２４】
損券庫４８ａ、新券庫４８ｂ、および入出金庫４８ｃ、４８ｄの下端部には、それぞれ新券収納部４１ｂ、新券庫、収納部４２ｂ、４３ｂから１枚づつ紙幣を取り出す取出し機構５６ａないし５６ｄと、取り出された紙幣を係数するセンサ５７ａないし５７ｄとが設けられている。そして、これらの取出し機構５６ａないし５６ｄは、損券庫４８ａ、新券庫４８ｂ、および入出金庫４８ｃ、４８ｄの下方を通って延びる下段出金搬送路５８ａおよび上方へ延びる上段出金搬送路５８ｂを介して出金口１４に接続されている。下段出金搬送路５８ａおよび上段出金搬送路５８ｂには、複数の振り分けゲート３５ｉないし３５ｋおよび多数の搬送ローラ、搬送ベルトが設けられている。
【００２５】
下段出金搬送路５８ａと上段出金搬送路５８ｂとの間には出金鑑査部５９が設けられている。そして、取り出された紙幣は、出金鑑査部５９により紙幣の２枚取り、金種確認が行われ、問題が無ければ上段出金搬送路５８ｂに送り込まれる。出金鑑査部５９を通過した紙幣は、上段出金搬送路５８ｂに入り、振り分けゲート３５ｊにより出金口１４へ搬送される。そして、振り分けゲート３５ｊにより出金口側に送られた紙幣は、振り分けゲート３５ｋにより、出金鑑査で問題ありと判定された券は出金リジェクト庫１３へ送られて集積され、出金対象となる券は出金口１４へ送られ出金される。
【００２６】
このように、取出し機構５６ａないし５６ｄ、下段出金搬送路５８ａ、上段出金搬送路５８ｂ、振り分けゲート３５ｉないし３５ｋは、この発明における出金搬送手段を構成している。
【００２７】
上段出金搬送路５８ｂの近傍には、取り出された紙幣を施封する施封部が設けられ、この施封部は、上段施封集積部６１ａおよび下段施封集積部６１ｂを有している。出金紙幣を施封する場合、出金鑑査部５９を通過した紙幣は、振り分けゲート３５ｊにより施封部へ導かれ、振り分けゲート３５ｍにより上段あるいは下段の施封集積部６１ａ、６１ｂに導かれて所定枚数ずつ施封される。
【００２８】
次に、以上のように構成された紙幣入出金機２の動作について説明する。
まず、紙幣の入金処理において、入金口１１に積層された紙幣は、取り込みロ−ラ２９により１枚づつ内部に取り込まれる。取り込まれた紙幣は、鑑査前搬送路４４を通って鑑査部３４に導かれ、この鑑査部３４内で金種、形状、表裏、真偽、正損等が鑑別される。そして、判定不能な紙幣は、入金リジェクトボックス１２に振り分けられて集積される。
【００２９】
入金鑑査部３４を通過した紙幣は、反転路４４を通って表裏が取り揃えられた後、振り分けゲート３５ｃ、３５ｄにより振分搬送路４０に送られる。そして、振分搬送路４０に入った紙幣の内、損券は損券庫４８ａへ振り分けられ、損券収納部４１ａに集積される。また、正券は、金種に応じて入出金庫４８ｃ、４８ｄへ振り分けられ、一時集積部４２ａ、４３ａに集積される。入金処理時において、入金された紙幣は新券庫４８ｂには取り込まれない。
【００３０】
なお、入出金庫４８ｃ、４８ｄにおいては、一時集積部４２ａ、４３ａ内に所定枚数の紙幣が集積された時点で、これらの紙幣は収納部４２ｂ、４３ｂへ移されて出金紙幣として利用される。
【００３１】
一方、紙幣入出金機２の出金取引においては、一方のテラーズマシンの入力部２４を通して所望の金種および出金金額が入力されると、入出金庫４８ｃ、４８ｄの収納部４２ａ、４３ａ、新券庫４８ｂ、および損券庫４８ａの新券収納部４１ｂの少なくとも１つから所定枚数の紙幣が取り出され、取り出された紙幣は下段出金搬送路５８ａを通して出金鑑査部５９に送られる。ここで、各紙幣は金種の判別および計数がされた後、上段出金搬送路５８ｂ、振り分けゲ−ト３５ｉ、３５ｊ、３５ｋを介して出金口１４へ出金される。この際、リジェクト紙幣、例えば、複数枚重なって搬送され出金鑑査部５９により判別不能な紙幣は、出金リジェクト庫１３に送られて収納される。なお、新券庫４８ｂへの新券の装填は、手動あるいは入金口１１から上述した入金搬送機構を用いて行なわれる。
【００３２】
また、出金取引において、出金金種、出金金額等の指示は入力部２４により以下のように行なわれる。まず、入力部２４のテンキー２８を用いて所望の出金金額あるいは枚数等を入力する。続いて、金種を指定する万円キー３０、千円キー３２、あるいは新券を指定する新券キー３３が押下される。
【００３３】
この場合、図４に示すように、いずれかのキーが押下されると（ステップ１）、新券キーであるか否かがまず判断される（ステップ２）。新券キー３３が押下された場合、新券指定済みが記憶され（ステップ５）、再度、キーの押下待となる。
【００３４】
万円キー３０が押下された場合（ステップ３）、新券指定済みか否かが判断される（ステップ６）。そして、新券指定済みの場合には、新券庫４８ｂから所定枚数の新券の万円券が取り出され出金される（ステップ７）。また、新券が指定されていない場合には、入出金庫４８ｄの収納部４３ｂから所定枚数の万円券が取り出され出金される（ステップ８）。
【００３５】
同様に、千円キー３２が押下された場合（ステップ４）、新券指定済みか否かが判断される（ステップ９）。そして、新券指定済みの場合には、損券庫４８ａの新券収納部４１ｂから所定枚数の新券の千円券が取り出され出金される（ステップ１０）。また、新券が指定されていない場合には、入出金庫４８ｃの収納部４２ｂから所定枚数の千円券が取り出され出金される（ステップ１１）。
【００３６】
以上のように構成された紙幣入出金機２によれば、新券を収納した新券庫４８ｂおよび新券収納部４１ｂを備えていることから、必要に応じて新券を出金することができる。そして、新券庫４８ｂは、入出金庫４８ｃ、４８ｄと同様な構成の金庫を新券出金専用の金庫と使用することにより構成されているため、別途専用の新券出金部を設ける必要がない。従って、製造コストの上昇を招くことなく新券の出金が可能な紙幣入出金機を提供することができる。
【００３７】
また、上記実施例によれば、セパレータ４７によって損券庫４８ａ内を損券収納部４１ａと新券収納部４１ｂとに区画することにより、損券庫の一部、つまり、新券収納部を新券庫として使用することができる。そのため、金庫数を増加させることなく新券の出金が可能となる。
【００３８】
【発明の効果】
以上詳述したように、この発明によれば、複数の金庫の内、任意の金庫を新券を収納した出金専用の金庫として用いることにより、簡単な構成により新券の出金が可能な現金処理装置を提供することができる。
【００３９】
また、この発明によれば、損券庫内を損券収納部と新券収納部とに区画して用いることにより、金庫数を増加することなく新券を出金可能な現金処理装置を提供することができる。
【図面の簡単な説明】
【図１】本発明の一実施例に係る紙幣入出金機を備えた現金管理システムの外観を示す斜視図。
【図２】上記現金管理システムの入力部を概略的に示す平面図。
【図３】上記紙幣入出金機の内部構成を示す断面図。
【図４】上記紙幣入出金機の出金取引時の動作を示すフローチャート。
【符号の説明】
２…紙幣入出金機、１１…入金口、１２…出金口、２０…表示部、
２４…入力部、３４…入金鑑査部、４１ａ…損券収納部、
４１ｂ…新券収納部、４２ａ、４３ａ…一時集積部、
４２ｂ、４３ｂ…収納部、４８ａ…損券庫、４８ｂ…新券庫、
４８ｃ、４８ｄ…入出金庫、５９…出金鑑査部、５８ａ…下段出金搬送路、
５８ｂ…上段出金搬送路。
【図１】
0003730270.tif 000002
【図２】
0003730270.tif 000003
【図３】
0003730270.tif 000004
【図４】
0003730270.tif 000005